(57)【特許請求の範囲】
【請求項１】
室内障子側に固定されるベース部材と、このベース部材に回動自在に取り付けられたクレセントと、このクレセントを回動操作する操作レバーとを備える施錠側金具、及び室外障子側に固定され前記クレセントが係合するためのフック部を有するクレセント受け金具からなり、
前記クレセントを含む回動側に、クレセントの回動操作時に室内障子及び室外障子が正常に閉鎖されているならば、クレセント受け金具に一端側が当接するように揺動可能に作動部材を設け、前記操作レバー部分に、クレセント側に向けて付勢保持されるとともに、前記作動部材の他端側に形成された突部が係合する線状溝が形成された空掛け防止部材を設け、かつ前記ベース部材に対して前記空掛け防止部材の先端部が摺接する摺接部を形成するとともに、前記摺接部の中間部に前記空掛け防止部材の先端部が係合する係合段部を形成し、
前記クレセントの回動操作時に室内障子及び室外障子が正常に閉鎖されているならば前記作動部材の一端側がクレセント受け金具に当接し、引き続き操作レバーを回動させると、前記空掛け防止部材に形成された線状溝内を作動部材の突部が摺動することにより前記操作レバーの回動が許容され、前記空掛け防止部材が付勢力に抗して押し込まれると共に、作動部材が揺動することにより、前記空掛け防止部材の先端が前記係合段部に係合することなく回動され、前記室内障子及び室外障子が正常に閉鎖されていないならば、操作レバーの回動時に前記空掛け防止部材の先端が前記係合段部に係合することによりそれ以上の回動を阻止するようにしたクレセント錠において、
前記クレセントは、前記ベース部材の上面から突出させたボス状の回転台座面に対して回動自在に取り付けられるとともに、前記クレセントの外面側に前記作動部材が配設され、前記作動部材の一端側に前記クレセントを越えて前記回転台座面側に延在する復帰用突部を設け、施錠状態から解錠操作を行った際、前記作動部材が元の解錠時の状態に復帰しない場合にのみ、前記復帰用突部が前記ベース部材の一部に対して衝突することにより前記作動部材を強制的に元の状態に復帰させるようにしたことを特徴とするクレセント錠。
【請求項２】
室内障子側に固定されるベース部材と、このベース部材に回動自在に取り付けられたクレセントと、このクレセントを回動操作する操作レバーとを備える施錠側金具、及び室外障子側に固定され前記クレセントが係合するためのフック部を有するクレセント受け金具からなり、
前記クレセントを含む回動側に、クレセントの回動操作時に室内障子及び室外障子が正常に閉鎖されているならば、クレセント受け金具に一端側が当接するように揺動可能に作動部材を設け、前記操作レバー部分に、クレセント側に向けて付勢保持されるとともに、前記作動部材の他端側に形成された突部が係合する線状溝が形成された空掛け防止部材を設け、かつ前記ベース部材に対して前記空掛け防止部材の先端部が摺接する摺接部を形成するとともに、前記摺接部の中間部に前記空掛け防止部材の先端部が係合する係合段部を形成し、
前記クレセントの回動操作時に室内障子及び室外障子が正常に閉鎖されているならば前記作動部材の一端側がクレセント受け金具に当接し、引き続き操作レバーを回動させると、前記空掛け防止部材に形成された線状溝内を作動部材の突部が摺動することにより前記操作レバーの回動が許容され、前記空掛け防止部材が付勢力に抗して押し込まれると共に、作動部材が揺動することにより、前記空掛け防止部材の先端が前記係合段部に係合することなく回動され、前記室内障子及び室外障子が正常に閉鎖されていないならば、操作レバーの回動時に前記空掛け防止部材の先端が前記係合段部に係合することによりそれ以上の回動を阻止するようにしたクレセント錠において、
前記クレセントは、前記ベース部材の上面から突出させたボス状の回転台座面に対して回動自在に取り付けられるとともに、前記クレセントの外面側に前記作動部材が配設され、
前記作動部材の一端側に前記クレセントを越えて前記回転台座面側に延在する復帰用突部を設け、施錠状態から解錠操作を行った際、前記作動部材が元の解錠時の状態に復帰しない場合にのみ、前記復帰用突部が前記回転台座面の周面に対して衝突することにより前記作動部材を強制的に元の状態に復帰させるようにしたことを特徴とするクレセント錠。
【請求項３】
前記空掛け防止部材の線状溝は、操作レバーの回動軸を中心とする円の接線方向に対して傾斜させて形成されているとともに、その傾斜方向は施錠時の回動方向に対し、前記線状溝の前端側から後端側に行くに従って徐々にクレセント回動軸に近づく方向に傾斜させている請求項１、２いずれかに記載のクレセント錠。
【請求項４】
前記空掛け防止部材は、操作レバーの内面側に形成した窪み状空間部に設置してある請求項１〜３いずれかに記載のクレセント錠。
【請求項５】
前記摺接部は前記ベース部材の回転台座面の周面に形成してあるとともに、下端側から回動方向に沿って形成された相対的に曲率半径の小さな第１摺接部と、これに連続する相対的に曲率半径の大きな第２摺接部とからなり、前記第１摺接部と前記第２摺接部との境界部に前記係合段部が形成されている請求項１〜４いずれかに記載のクレセント錠。
【発明の詳細な説明】
【技術分野】
【０００１】
本発明は、室内障子及び室外障子が共に閉鎖された状態時にのみ施錠を可能とした空掛け防止機能付きのクレセント錠に関する。
【背景技術】
【０００２】
従来より、引き違い窓等のサッシ用施錠装置としてクレセント錠が知られている。このクレセント錠は、図１６に示されるように、室内障子５４の縦框に取付けられるベース部材５１と、このベース部材５１に対してクレセント軸５３を介して回動自在に取り付けられた笠金状のクレセント５２と、室外障子５５に取り付けられた前記クレセント５２が係合するためのフック部５６ａを有するクレセント受け金具５６とからなる施錠装置５０である（例えば、下記特許文献１等参照）。
【０００３】
上記クレセント錠５０の場合は、室内障子５４又は室外障子５５が開放状態にあっても、クレセント５２を回動させることが可能であり、この施錠状態のまま障子を閉めると、室外障子５５の縦框（召合せ框含む）が室外側に突出したクレセント５２に衝突し、クレセント５２が変形したり破損したりすることがあった。これを防止するために、下記特許文献２では、室内障子又は室外障子が共に閉鎖された状態にある時以外は、クレセント錠の操作レバーが施錠方向に回動できないようにした空掛け防止機能を備えたクレセント錠が提案されている。具体的に同公報では、内障子の召合せ框に操作レバーの回動により回動しつつ延出する掛け部を有するクレセント錠を設け、外障子の召合せ框に上記掛け部が係合するクレセント受けを設け、上記掛け部を含む回動側に揺動可能な揺動体を設け、この揺動体の一端を固定側に設けられた係止部に係止させて上記操作レバーの所定角度以上の回動を阻止すると共に、上記内障子と外障子が正常閉鎖位置にあるときに上記操作レバーの回動で上記揺動体の他端が上記クレセント受けもしくは外障子の召合せ框に当接する反力で上記揺動体の一端と係止部の係止状態を解除するようにしたクレセント錠が提案されている。
【０００４】
しかしながら、上記特許文献２に示される空掛け防止構造の場合には、施錠時に揺動体がクレセント受け金具の表面を摺接しながら、前記揺動体がクレセント受け金具を乗り越えるようになっているため、前記クレセント受け金具に施した表面処理が摩擦で剥げてしまい、見栄えが悪くなってしまう。また、前記揺動体の他端が上記クレセント受けもしくは外障子の召合せ框に当接する反力によって作動するとともに、前記揺動体がクレセント受け金具の表面を摺接するため、操作レバーの回動操作の抵抗が大きくなるため施錠操作がしづらいなどの問題があった。
【０００５】
そこで本出願人は、下記特許文献３において、クレセントを含む回動側に、クレセントの回動操作時に室内障子及び室外障子が正常に閉鎖されているならば、クレセント受け金具に一端側が当接するように揺動可能に作動部材を設け、前記操作レバー部分に、クレセント側に向けて付勢保持されるとともに、前記作動部材の他端側に形成された突部が係合する線状溝が形成された空掛け防止部材を設け、かつ前記ベース部材に対して前記空掛け防止部材の先端部が摺接する摺接部を形成するとともに、前記摺接部の中間部に前記空掛け防止部材の先端部が係合する係合段部を形成し、
前記クレセントの回動操作時に室内障子及び室外障子が正常に閉鎖されているならば前記作動部材の一端側がクレセント受け金具に当接し、引き続き操作レバーを回動させると、前記空掛け防止部材に形成された線状溝内を作動部材の突部が摺動することにより前記操作レバーの回動が許容されるとともに、前記空掛け防止部材が付勢力に抗して押し込まれると共に、作動部材が揺動することにより、前記空掛け防止部材の先端が前記係合段部に係合することなく回動され、前記室内障子及び室外障子が正常に閉鎖されていないならば、操作レバーの回動時に前記空掛け防止部材の先端が前記係合段部に係合することによりそれ以上の回動を阻止するようにしたことを特徴とするクレセント錠を提案した。
【先行技術文献】
【特許文献】
【０００６】
【特許文献１】特開平１１−９３４８８号公報
【特許文献２】特開平９−１５８５８４号公報
【特許文献３】特開２００５−２３２７３６号公報
【発明の概要】
【発明が解決しようとする課題】
【０００７】
しかしながら、上記特許文献３に係るクレセント錠の実施化に当って、更に詳細に検討を進めていくと、上記クレセント錠においても幾つかの不具合が生じる可能性があることが判明した。
【０００８】
すなわち、前記クレセント錠において、施錠状態から解錠操作を行うと前記作動部材が元の状態まで復帰するはずであるが、幾つかの原因によって復帰しないおそれがあることが判明した。前記作動部材の復帰原理は、図１７に示されるように、空掛け防止部材８にはバネの付勢力によって回動中心側に向かう押込み力Ｐが発生しており、この押込み力Ｐは作動部材の突部７ｂを介して作動部材７に作用力ｐを与えることになる。この作用力ｐは作動部材７の回動中心との垂線距離ΔＳによって回転モーメント（Ｍ＝ｐ・ΔＳ）を与え、この回転モーメントが突部７ｂの摺動抵抗力よりも大きいと作動部材７が反時計回り方向に回動し元の状態に復帰するようになっている。しかし、埃の堆積等の原因によって突部７ｂが線状溝内を移動する際の摺動抵抗が経時的に大きくなっていくと抵抗モーメントが前記回転モーメントＭに勝り、作動部材７が元の状態に復帰しなくなることが予想された。また、操作ハンドルのデザイン上の理由から空掛け防止部材８の配置位置がシフトし、垂線距離ΔＳが小さくなると、回転モーメントＭが小さくなり、作動部材７が元の状態に復帰しなくなることも予想された。
【０００９】
また、前記クレセント錠では、前記空掛け防止部材８に形成された線状溝８ｂ内を作動部材７の突部７ｂが摺動することにより前記操作レバー６の回動が許容され、前記空掛け防止部材８が付勢力に抗して押し込まれると共に、作動部材７が揺動することにより、前記空掛け防止部材８の先端が前記係合段部３ｅに係合することなく回動可能となるというものであるが、前記係合段部３ｅの乗り越えを確実に行わしめるためには、前記空掛け防止部材８の押込み量（移動量）を前記突部７ｂの移動量に対して相対的に大きくなるようにすることが望ましいことも判明した。
【００１０】
そこで本発明の主たる第１課題は、前記特許文献３に係るクレセント錠の改良発明に係り、施錠状態から解錠操作するに当って、前記作動部材の復帰を確実に行わしめるようにすることにある。
【００１１】
また、第２課題は、前記空掛け防止部材８の押込み量（移動量）を前記突部７ｂの移動量に対して相対的に大きく確保することにある。
【課題を解決するための手段】
【００１２】
前記第１課題を解決するために請求項１に係る本発明として、室内障子側に固定されるベース部材と、このベース部材に回動自在に取り付けられたクレセントと、このクレセントを回動操作する操作レバーとを備える施錠側金具、及び室外障子側に固定され前記クレセントが係合するためのフック部を有するクレセント受け金具からなり、
前記クレセントを含む回動側に、クレセントの回動操作時に室内障子及び室外障子が正常に閉鎖されているならば、クレセント受け金具に一端側が当接するように揺動可能に作動部材を設け、前記操作レバー部分に、クレセント側に向けて付勢保持されるとともに、前記作動部材の他端側に形成された突部が係合する線状溝が形成された空掛け防止部材を設け、かつ前記ベース部材に対して前記空掛け防止部材の先端部が摺接する摺接部を形成するとともに、前記摺接部の中間部に前記空掛け防止部材の先端部が係合する係合段部を形成し、
前記クレセントの回動操作時に室内障子及び室外障子が正常に閉鎖されているならば前記作動部材の一端側がクレセント受け金具に当接し、引き続き操作レバーを回動させると、前記空掛け防止部材に形成された線状溝内を作動部材の突部が摺動することにより前記操作レバーの回動が許容され、前記空掛け防止部材が付勢力に抗して押し込まれると共に、作動部材が揺動することにより、前記空掛け防止部材の先端が前記係合段部に係合することなく回動され、前記室内障子及び室外障子が正常に閉鎖されていないならば、操作レバーの回動時に前記空掛け防止部材の先端が前記係合段部に係合することによりそれ以上の回動を阻止するようにしたクレセント錠において、
前記クレセントは、前記ベース部材の上面から突出させたボス状の回転台座面に対して回動自在に取り付けられるとともに、前記クレセントの外面側に前記作動部材が配設され、前記作動部材の一端側に前記クレセントを越えて前記回転台座面側に延在する復帰用突部を設け、施錠状態から解錠操作を行った際、前記作動部材が元の解錠時の状態に復帰しない場合にのみ、前記復帰用突部が前記ベース部材の一部に対して衝突することにより前記作動部材を強制的に元の状態に復帰させるようにしたことを特徴とするクレセント錠が提供される。
【００１３】
上記請求項１記載の発明においては、前記作動部材の一端側に前記クレセントを越えて前記回転台座面側に延在する復帰用突部を設け、施錠状態から解錠操作を行った際、前記作動部材が元の解錠時の状態に復帰しない場合にのみ、前記復帰用突部を前記ベース部材の一部に対して衝突させることにより作動部材を強制的に回動させ元の状態に復帰させるようにしたため、施錠状態から解錠操作するに当って、前記作動部材の復帰を確実に行わしめることが可能となる。
【００１４】
また、前記第１課題を解決するために請求項２に係る本発明として、室内障子側に固定されるベース部材と、このベース部材に回動自在に取り付けられたクレセントと、このクレセントを回動操作する操作レバーとを備える施錠側金具、及び室外障子側に固定され前記クレセントが係合するためのフック部を有するクレセント受け金具からなり、
前記クレセントを含む回動側に、クレセントの回動操作時に室内障子及び室外障子が正常に閉鎖されているならば、クレセント受け金具に一端側が当接するように揺動可能に作動部材を設け、前記操作レバー部分に、クレセント側に向けて付勢保持されるとともに、前記作動部材の他端側に形成された突部が係合する線状溝が形成された空掛け防止部材を設け、かつ前記ベース部材に対して前記空掛け防止部材の先端部が摺接する摺接部を形成するとともに、前記摺接部の中間部に前記空掛け防止部材の先端部が係合する係合段部を形成し、
前記クレセントの回動操作時に室内障子及び室外障子が正常に閉鎖されているならば前記作動部材の一端側がクレセント受け金具に当接し、引き続き操作レバーを回動させると、前記空掛け防止部材に形成された線状溝内を作動部材の突部が摺動することにより前記操作レバーの回動が許容され、前記空掛け防止部材が付勢力に抗して押し込まれると共に、作動部材が揺動することにより、前記空掛け防止部材の先端が前記係合段部に係合することなく回動され、前記室内障子及び室外障子が正常に閉鎖されていないならば、操作レバーの回動時に前記空掛け防止部材の先端が前記係合段部に係合することによりそれ以上の回動を阻止するようにしたクレセント錠において、
前記クレセントは、前記ベース部材の上面から突出させたボス状の回転台座面に対して回動自在に取り付けられるとともに、前記クレセントの外面側に前記作動部材が配設され、
前記作動部材の一端側に前記クレセントを越えて前記回転台座面側に延在する復帰用突部を設け、施錠状態から解錠操作を行った際、前記作動部材が元の解錠時の状態に復帰しない場合にのみ、前記復帰用突部が前記回転台座面の周面に対して衝突することにより前記作動部材を強制的に元の状態に復帰させるようにしたことを特徴とするクレセント錠が提供される。
【００１５】
上記請求項２記載の発明は、前記復帰用突部を衝突させる部材に関する好ましい具体的態様を示したものである。本請求項２では、クレセントは、前記ベース部材の上面から突出させたボス状の回転台座面に対して回動自在に取り付けるようにし、施錠状態から解錠操作を行った際、前記作動部材が元の解錠時の状態に復帰しない場合にのみ、前記復帰用突部を前記回転台座面の周面に対して衝突させることにより作動部材を強制的に元の状態に復帰させるようにした。
【００１６】
前記第２課題を解決するために請求項３に係る本発明として、前記空掛け防止部材の線状溝は、操作レバーの回動軸を中心とする円の接線方向に対して傾斜させて形成されているとともに、その傾斜方向は施錠時の回動方向に対し、前記線状溝の前端側から後端側に行くに従って徐々にクレセント回動軸に近づく方向に傾斜させている請求項１、２いずれかに記載のクレセント錠が提供される。
【００１７】
上記請求項３記載の発明は、空掛け防止部材の移動量が大きくなるように線状溝を傾斜させて形成するようにしたものである。施錠操作時に空掛け防止部材の移動量が大きくなることにより係合段部の乗り越えを確実に行わしめることが可能となる。
【００１８】
請求項４に係る本発明として、前記空掛け防止部材は、操作レバーの内面側に形成した窪み状空間部に設置してある請求項１〜３いずれかに記載のクレセント錠が提供される。
【００１９】
請求項５に係る本発明として、前記摺接部は前記ベース部材の回転台座面の周面に形成してあるとともに、下端側から回動方向に沿って形成された相対的に曲率半径の小さな第１摺接部と、これに連続する相対的に曲率半径の大きな第２摺接部とからなり、前記第１摺接部と前記第２摺接部との境界部に前記係合段部が形成されている請求項１〜４いずれかに記載のクレセント錠が提供される。
【発明の効果】
【００２０】
以上詳説のとおり本発明によれば、前記特許文献３に係るクレセント錠において、施錠状態から解錠操作するに当って、前記作動部材の復帰を確実に行わしめることが可能となる。また、前記空掛け防止部材８の押込み量（移動量）を前記突部７ｂの移動量に対して相対的に大きく確保することが可能となる。
【図面の簡単な説明】
【００２１】
【図１】本発明に係るクレセント錠１の解錠状態を示す、(A)は側面図、(B)は正面図である。
【図２】本発明に係るクレセント錠１の施錠状態を示す、(A)は正面図、(B)は側面図、(C)は底面図である。
【図３】本発明に係るクレセント錠１の斜視図である。
【図４】本発明に係るクレセント錠１の分解斜視図である。
【図５】ベース部材３を示す、(A)は正面図、(B)は右側面図、(C)は左側面図、(D)は底面図である。
【図６】操作レバー６を示す、(A)は側面図、(B)は正面図、(C)は裏面図である。
【図７】空掛け防止部材８を示す、(A)は側面図、(B)は右側面図、(C)は左側面図である。
【図８】作動部材７を示す、(A)は正面図、(B)は右側面図、(C)は左側面図、(D)は底面図である。
【図９】操作レバー６部分の分解図である。
【図１０】操作レバー６部分の組立状態図である。
【図１１】障子閉鎖状態時（施錠可能状態時）のクレセント錠作動図（その１）である。
【図１２】障子閉鎖状態時（施錠可能状態時）のクレセント錠作動図（その２）である。
【図１３】施錠状態から解錠操作を行った際の作動部材７の復帰作動図である。
【図１４】障子開放状態時（施錠不能状態）のクレセント錠作動図である。
【図１５】本発明に係るクレセント錠１の変形例を示す側面図である。
【図１６】従来一般のクレセント錠を示す斜視図である。
【図１７】特許文献３に係るクレセント錠の作動部材７の復帰原理を説明するための図である。
【発明を実施するための形態】
【００２２】
以下、本発明の実施の形態について図面を参照しながら詳述する。
【００２３】
クレセント錠１は、図１及び図２に示されるように、室内障子の召合せ縦框にビス等で取り付けられるベース部材３と、このベース部材３に対して回動軸４を回転中心として回動自在に取り付けられたクレセント５と、室内障子及び室外障子が共に閉鎖された状態時にのみ施錠を可能とするために追加された作動部材７及び空掛け防止部材８と、前記回動軸４と一体的に連設された操作レバー６とからなる施錠側金物２、及び室外障子の召合せ縦框にビス等で取り付けられ、前記クレセント５が係合するためのフック部１１ａを備えたクレセント受け金具１１からなる。
【００２４】
そして、図１に示される解錠状態から図２に示される施錠状態とするには、前記操作レバー６を摘み、クレセント５をほぼ１８０度範囲で回動させ、クレセント５の周囲に形成された、壁高を漸次テーパー状に変化させた環状周壁５Ａを前記クレセント受け金具１１のフック部１１ａに対して係合させるようにする。
【００２５】
本クレセント錠１では、室内障子及び室外障子が共に閉鎖された状態にある時以外は、クレセント錠１の操作レバー６が施錠方向に回動できないようにした空掛け防止機能を備えている。すなわち、室内障子及び室外障子が正常に閉鎖されている場合は、操作レバー６の回動操作が許容され、図２に示される施錠状態とすることができ、室内障子及び室外障子が共に閉鎖されていなければ、図１４に示されるように、操作レバー６は回動角度４５°の位置で回動が阻止され、それ以上回動できないようになっている。
【００２６】
前記空掛け防止機能を実現するには、前記クレセント５を含む回動側に、クレセント５の回動操作時に室内障子及び室外障子が正常に閉鎖されているならば、クレセント受け金具１１に一端側が当接するように揺動可能に作動部材を設け、前記操作レバー６部分に、クレセント５側に向けて付勢保持されるとともに、前記作動部材７の他端側に形成された突部７ｂが係合する線状溝８ｂが形成された空掛け防止部材８を設け、かつ前記ベース部材３に対して前記空掛け防止部材８の先端部（摺接係合部８ｃ）が摺接する摺接部３ｃ、３ｄを形成するとともに、前記摺接部３ｃ、３ｄの境界部に前記空掛け防止部材８の先端部（摺接係合部８ｃ）が係合する係合段部３ｅを形成している。そして、前記クレセント５の回動操作時に室内障子及び室外障子が正常に閉鎖されているならば前記作動部材７の一端側がクレセント受け金具１１に当接し、引き続き操作レバー６を回動させると、前記空掛け防止部材８に形成された線状溝８ｂ内を作動部材７の突部７ｂが摺動することにより前記操作レバー６の回動が許容され、前記空掛け防止部材８が付勢力に抗して押し込まれると共に、作動部材７が揺動することにより、前記空掛け防止部材８の先端が前記係合段部３ｅに係合することなく回動され、前記室内障子及び室外障子が正常に閉鎖されていないならば、操作レバー６の回動時に前記空掛け防止部材８の先端８ｃが前記係合段部３ｅに係合することによりそれ以上の回動を阻止するようにしたものである。本発明では、このクレセント錠１に対して、施錠状態から解錠操作を行った際に、前記作動部材７を元の状態に復帰させる復帰機構を設けてある。この復帰機構については後述する。
【００２７】
以下、さらにクレセント錠１について、詳細に構造を詳述するとともに、作動状態について詳述する。
【００２８】
先ず、前記ベース部材３は、図４及び図５に示されるように、縦方向に長い立方体状の部材で、基台部３Ａと、その上面から突出させたボス状の回転台座面３Ｂとからなる。前記基台部３Ａは上下部にそれぞれビス孔３ａが形成され、室内障子の召合せ框に対してビス等で固定されるようになっている。前記回転台座面３Ｂは、クレセント５が回動自在に取り付けられる台座面を構成する部分で略円形を成し、前記基台部３Ａよりも高く形成されているとともに、中央に操作レバー６の回動軸４が挿通される軸孔３ｂが形成されている。
【００２９】
前記回転台座面３Ｂの周面には、空掛け防止部材８の先端部が摺接する第１摺接部３ｃ、第２摺接部３ｄが形成されているとともに、これら摺接部３ｃ、３ｄの境界部に係合段部３ｅが形成されている。前記第１摺接部３ｃは略下端位置から操作レバー６の所定の回動範囲に亘って形成された相対的に曲率半径の小さな摺接部であり、その終端部には空掛け防止部材８の先端部が係合する係合段部３ｅが形成されている。また、前記第２摺接部３ｄは前記係合段部３ｅを始点として回転台座面３Ｂの略上端部までの範囲に相対的に曲率半径の大きな摺接部である。ここで、前記係合段部３ｅは、空掛け防止部材８の先端８ｃを係合させて操作レバー６の回動を阻止するか、作動部材７の作用力によって空掛け防止部材８の先端８ｃを係合させずに操作レバー６の回動を許容するかの重要な機能を担うものである。
【００３０】
次いで、前記操作レバー６は、詳細には図６に示されるように、回動中心側部分に回動軸４が一体的に設けられた部材であり、その内面側には窪み状の空間が形成されている。この空間は、縦方向に長く立方体状の空間として形成された空掛け防止部材８の第１設置空間６Ａと、この第１設置空間６Ａに連続して前記回動軸４を含む範囲に形成された作動部材７の第２設置空間６Ｂとからなる。また、前記第２設置空間６Ｂ内には作動部材７を揺動可能に支持するための揺動軸孔６ａが形成され、前記回動軸４の隣接部にはクレセント５に形成された通孔５ｂ（図４参照）に係合し、操作レバー６に回動に伴ってクレセント５を同調的に回動させるための突部６ｂが形成されている。
【００３１】
前記第１設置空間６Ａに設置される空掛け防止部材８は、詳細には図７に示されるように、下部側にバネ設置孔部８ａが形成されるとともに、先端側側部には作動部材７の突部７ｂが係合する線状溝８ｂが形成され、先端部は前記ベース部材３の第１及び第２摺接部３ｃ、３ｄに当接状態で係合する摺接係合部８ｃとなっている。前記線状溝８ｂは、回動軸４を中心とする仮想円（回動方向）の接線方向に対して傾斜させて形成されているとともに、その傾斜方向は施錠時の回動方向に対し、前記線状溝８ｂの前端側から後端側に行くに従って徐々にクレセント回動軸４に近づく方向に傾斜させている。つまり図１の解錠状態の正面図で、線状溝８ｂは、左上がり方向に傾斜させて形成されている。
【００３２】
一方、前記作動部材７は、詳細には図８に示されるように、略く字状を成す平板状部材であり、一方面側の中間部に揺動軸７ａが形成されているとともに、他方面側の下端に前記空掛け防止部材８の線状溝８ｂに係合する突部７ｂが形成されている。また、上端部にはクレセント受け金具との当接部７ｃが形成されているとともに、図１及び図２の製品状態で、前記クレセント５を越えて前記回転台座面３Ｂ側に延在する復帰用突部７ｄを設けている。この復帰用突部７ｄは、施錠状態から解錠操作を行う際、前記復帰用突部７ｄを前記回転台座面３Ｂの周面（衝突部３ｆ）に対して衝突させることにより作動部材７を強制的に元の状態に復帰させる復帰機構を担うものである。なお、前記復帰用突部７ｄは、基台部３Ａまで達しない長さとする。
【００３３】
前記操作レバー６、作動部材７及び空掛け防止部材８の組立ては、図９及び図１０に示されるように、操作レバー６の第２設置空間６Ｂ部分に対し、作動部材７の揺動軸７ａを第２設置空間６Ｂに形成された揺動軸孔６ａに嵌入させるようにしながら回動軸４の隣接位置に設置するとともに、空掛け防止部材８は、前記作動部材７の突部７ｂを線状溝８ｂに嵌合させるとともに、バネ設置孔８ａ内部にバネ材９を内設した状態で第１設置空間６Ａに設置する。最後に、断面コ字状のカバー材１０を前記空掛け防止部材８を囲むように第１設置区間６Ａに嵌入する。前記空掛け防止部材８は、前記バネ材９による弾発力によってクレセント５側に向けて常時、付勢されるようになっている。
【００３４】
また、クレセント５及びベース部材３との組立ては、図４に示されるように、操作レバー６の回動軸４をクレセント５の軸孔５ａに挿入するとともに、操作レバー６に形成された突部６ｂをクレセント５に形成された通孔５ｂに嵌合させることによって操作レバー６と一体的にクレセント５が回動する。クレセント５を装着したならば、ベース部材３の軸孔３ｂに挿通し、裏面側において抜脱不能に止めるようにする。この組立て状態（解錠状態）では、前記空掛け防止部材８の摺接係合部８ｃは、回転台座面３Ｂの第１摺接部３ｃに対して係合している。
【００３５】
次いで、本クレセント錠１における作動状態を図１１〜図１３に基づいて説明する。なお、図１１及び図１２は室内障子及び室外障子が共に閉鎖された状態であるため施錠が可能な場合の作動図を示し、図１３は室内障子及び／又は室外障子が開かれた状態であるため施錠が不可能な場合の作動図を示したものである。  なお、図９では説明の便宜のために操作レバー６の回動角度を例示的に併記してある。
【００３６】
〈障子閉鎖状態（施錠可能状態）〉
図１１(A)は操作レバー６が下向きとなる解錠状態（図１参照）を示したものである。本ケースでは、室内障子及び室外障子が共に閉鎖された状態であるため、クレセント錠１の作動部材７の対向位置にはクレセント受け金具１１が定位している。
【００３７】
この状態で、操作レバー６を反時計回り方向に徐々に回動させると、図１１(B)に示されるように、作動部材７の当接部７ｃがクレセント受け金具１１のフック部１１ａに当接する。前記当接部７ｃがクレセント受け金具１１に当接しても、前記空掛け防止部材８に形成された線状溝８ｂ内を作動部材７の突部７ｂが摺動することにより前記操作レバー６の回動が許容される。その後、引き続き操作レバー６を回動させると、作動部材７の突部７ｂが線状溝８ｂを移動することにより、空掛け防止部材８は徐々に付勢力に抗して押し込まれる。この際、前記作動部材７は、図１１(B)〜(D)に示されるように、操作レバー６の回動に伴い、少しずつ姿勢（揺動動作）を変え、徐々にフック部１１ａから離反する。
【００３８】
引き続き、操作レバー６の回動を続けると、図１１(E)の回動角度５０°の時点で回転台座面３Ｂの係合段部３ｅを乗り越える。また、空掛け防止部材８は徐々に付勢力に抗して押し込まれるとともに、作動部材７はクレセント５の回転と共に、徐々に起立方向に揺動し、クレセント受け金具１１のフック部１１ａから完全に離間するようになる。さらに、操作レバー６を回動させると、作動部材７はクレセント受け金具１１のフック部１１ａと接触することなく乗り越え、図１１(G)に示すように、クレセント５がフック部１１ａに係合する。そして、最終的に操作レバー６が１８０°回動され、図１１(H)に示される状態で施錠が完了する。
【００３９】
施錠状態から解錠を行う場合は、図１１(H)の状態から操作レバー６を指で摘んで、時計回り方向に回動させる。この際、作動部材７が元の状態（図１の解錠時の状態）に復帰しない場合でも、図１３(A)に示されるように、作動部材７の復帰用突起７ｄが回転台座面３Ｂの衝突部３ｆに当たることにより、作動部材７が強制的に反時計回り方向に回転させられ、図１３(B)に示される解錠状態時の姿勢に復帰させられる。
【００４０】
〈障子開放状態（施錠不能状態）〉
一方、室内障子及び／又は室外障子が開かれた状態であるためクレセント受け金具１１がクレセント対向位置に存在しない状態時に施錠が成されようとした場合には、図１４に示されるように、作動部材７はクレセント受け金具１１に当接することがなく、かつ空掛け防止部材８が付勢力に抗して押し込まれることがないため、空掛け防止部材８の摺接係合部８ｃが第１摺接部３ｃに摺接した状態のまま回動され、第１摺接部３ｃの終点の係合段部３ｅに衝突するため、操作レバー６はそれ以上の回動が阻止されるため施錠が不能となる。
【００４１】
〔その他の形態例〕
(1)上記形態例では、施錠状態から解錠操作を行う際、図１３に示されるように、前記復帰用突部７ｄを前記回転台座面３Ｂの周面（衝突部３ｆ）に衝突させるようにしたが、図１５に示されるように、前記回転台座面３Ｂとは別に、ベース部材３の上面に起立状の衝突片３ｇを設け、この衝突片３ｇに前記復帰用突部７ｄを衝突させ、作動部材７を元の状態に復帰させるようにしてもよい。
(2)上記形態例では操作レバー６の回動阻止角度が４５°である例を示したが、この角度はある程度の幅の範囲で任意に設定することが可能である。
【符号の説明】
【００４２】
１…クレセント錠、２…施錠側金物、３…ベース部材、３Ａ…基台部、３Ｂ…回転台座面、３ｃ…第１摺接部、３ｄ…第２摺接部、３ｅ…係合段部、３ｆ…衝突部、４…回動軸、５…クレセント、６…操作レバー、６Ａ…第１設置空間、６Ｂ…第２設置空間、６ａ…揺動軸孔、６ｂ…突部、７…作動部材、７ａ…揺動軸、７ｂ…突部、７ｃ…当接部、７ｄ…復帰用突部、８…空掛け防止部材、８ａ…バネ設置孔、８ｂ…線状溝、８ｃ…摺接係合部、９…バネ材、１０…カバー材
【図１】
0005924920.tif 000002
【図２】
0005924920.tif 000003
【図３】
0005924920.tif 000004
【図４】
0005924920.tif 000005
【図５】
0005924920.tif 000006
【図６】
0005924920.tif 000007
【図７】
0005924920.tif 000008
【図８】
0005924920.tif 000009
【図９】
0005924920.tif 000010
【図１０】
0005924920.tif 000011
【図１１】
0005924920.tif 000012
【図１２】
0005924920.tif 000013
【図１３】
0005924920.tif 000014
【図１４】
0005924920.tif 000015
【図１５】
0005924920.tif 000016
【図１６】
0005924920.tif 000017
【図１７】
0005924920.tif 000018